(57)【要約】【課題】  洗濯兼脱水槽の内面に槽凸部を設けて、洗浄性能および脱水性能の向上を共に図る。【解決手段】  洗濯および脱水を可能とした洗濯兼脱水槽１５の胴壁部１５ｂ内面に、槽凸部１８を複数設け、この槽凸部１８は、前記胴壁部１５ｂの中腹に円弧状の凸部を設けるとともに、これを前記洗濯兼脱水槽１５の回転方向（矢印Ｒで示す）に向かって前傾する構成とし、さらには斯かる円弧状凸部の下端部に連ねて直線状で略垂直方向に延びる垂直状の凸部を設けた構成とする。【選択図】  図１
2005348943.tif 000002
【特許請求の範囲】
【請求項１】
洗濯物を収容する洗濯兼脱水槽を備え、前記洗濯兼脱水槽の胴壁部内面に槽凸部を設けたものにおいて、
前記槽凸部は、胴壁部の中腹に円弧状の凸部を複数設けるとともに、該円弧状凸部は前記洗濯兼脱水槽の回転方向に向かって前傾する構成としたことを特徴とする洗濯機。
【請求項２】
槽凸部は、円弧状凸部の下端部に連ねて直線状で略垂直方向に延びる垂直状の凸部を設けたことを特徴とする請求項１記載の洗濯機。
【請求項３】
洗濯物を収容する洗濯兼脱水槽を備え、前記洗濯兼脱水槽の胴壁部内面に槽凸部を設けたものにおいて、
前記槽凸部は、胴壁部の中腹に直線状に傾斜する凸部と、該傾斜状凸部の下端部に連ねて直線状で略垂直方向に延びる垂直状の凸部を複数設けるとともに、前記傾斜凸部は前記洗濯兼脱水槽の回転方向に向かって前傾する構成としたことを特徴とする洗濯機。
【請求項４】
洗濯兼脱水槽の胴壁部に脱水孔を備え、前記胴壁部の下部領域と上部領域とにおける前記脱水孔面積を略同等に配設したことを特徴とする請求項１ないし３のいずれかに記載の洗濯機。
【請求項５】
槽凸部は、断面山形状をなし、洗濯兼脱水槽の回転方向側の傾斜面を反対側より急斜面としたことを特徴とする請求項１ないし３のいずれかに記載の洗濯機。
【請求項６】
洗濯兼脱水槽の下部に撹拌体を備え、該撹拌体上面の撹拌凸部の曲がり方向が、前記洗濯兼脱水槽の前傾する槽凸部と同方向にしたことを特徴とする請求項１または３記載の洗濯機。
【請求項７】
洗濯兼脱水槽の下部に撹拌体を備え、該撹拌体上面の撹拌凸部の曲がり方向が、前記洗濯兼脱水槽の前傾する槽凸部と逆方向にしたことを特徴とする請求項１または３記載の洗濯機。
【発明の詳細な説明】
【技術分野】
【０００１】
本発明は、洗濯および脱水を行なう洗濯兼脱水槽を備えた洗濯機に関する。
【背景技術】
【０００２】
従来、この種洗濯機は、周知のように貯水可能な水槽内に洗濯兼脱水槽を回転可能に設け、該洗濯兼脱水槽の周壁には多数の脱水孔を有し、内方下部には撹拌体を回転可能に設けている。そして、上記洗濯兼脱水槽の内面には槽凸部を設け、洗浄性能や脱水性能の向上を図るべく構成としている。この槽凸部の一般的な形状として、洗濯兼脱水槽の内面に直線状に垂直方向に延びる凸部を設けたものがある。この場合、洗濯物が凸部に当たることにより機械力が付与され洗浄性能の向上が期待できる。ただし、脱水運転時における遠心脱水作用やその際生じる空気の流れをよくする所謂脱水性能を上げる効果には、十分に寄与するとは言えなかった。
【０００３】
そこで、近年では洗濯兼脱水槽の内面全体に亘り螺旋状の凸部を形成して、該凸部を利用して洗濯運転時には洗濯物に洗浄に有効な機械力を与え、一方脱水運転時には、その際生じる空気の流れを効率よく脱水孔から移動させることができるとして、洗浄性能や脱水性能の向上を図るべく提案がなされている（例えば、特許文献１参照）。
【特許文献１】特開２００２−１７２２９６号公報
【発明の開示】
【発明が解決しようとする課題】
【０００４】
しかるに、上記螺旋状の凸部は脱水運転の際、上下方向の気流を起こして脱水孔を通した空気の移動が良好となるように思われ、脱水性能の向上が期待できるが、洗濯運転の際には洗濯物に対し十分な機械力を与えることができず、洗浄力の向上に十分に寄与できるものではなかった。
本発明は、上記問題点を解決するために、槽凸部の形状を工夫することにより、洗浄性能および脱水性能共に向上が期待できる洗濯機を提供することを目的とする。
【課題を解決するための手段】
【０００５】
上記目的を達成するために、本発明の洗濯機は、洗濯物を収容する洗濯兼脱水槽を備え、前記洗濯兼脱水槽の胴壁部内面に槽凸部を設けたものにおいて、前記槽凸部は、胴壁部の中腹に円弧状の凸部を複数設けるとともに、該円弧状凸部は前記洗濯兼脱水槽の回転方向に向かって前傾する構成としたことを主たる特徴とするものである。
【発明の効果】
【０００６】
上記手段によれば、洗濯運転時には円弧状凸部のうち、略垂直となす下半部が洗濯物に有効な機械力を与え、また脱水運転時には洗濯兼脱水槽の回転に伴ない円弧状凸部の前傾する上半部にて槽内に空気を効率よく取り込み、且つ下半部では洗濯運転では洗濯物に機械力を伝えて洗浄力を補強し得、また脱水運転では取り込んだ空気を下方まで行き渡らせて洗濯物全体にむらのない脱水性能の向上が期待できる洗濯機を提供できる。
【発明を実施するための最良の形態】
【０００７】
以下、本発明の洗濯機を乾燥機能付洗濯機に適用した一実施例につき、図１〜図３を参照して説明する。まず、図１に示す上記洗濯機の全体構成を示す縦断面図に基づき説明すると、洗濯機の外郭を形成する本体１は、矩形箱状の外箱２と、この上面に被着されたトップカバー３とから構成されている。そのうち、前記外箱２は上下面とも開口した形態にて、内部に上面を開口した有底円筒状の前記水槽４が弾性支持機構５を介して設けられている。
【０００８】
この水槽４は、底部の排水口６に排水弁７を介して排水ホース８が接続され、実質的に無孔状の貯水可能な槽体を構成している。そして水槽４の上面には、その開口を閉塞するように円板状の槽カバー９が気密的に被着されている。この槽カバー９は、水槽４を極力密閉構成にするとともに、その略中央部には開閉可能な内蓋９ａを設け、洗濯物の出し入れを可能としている。また、水槽４の外側に隣接して上下方向に延びる中空の通気路１０を、例えば該水槽４と一体に成型している。
【０００９】
この通気路１０は、図示するように水槽４の下部にて連通し、上方に延出した上端を開口し、且つ水槽４の周壁を兼ねた仕切壁１１を有した構成となし、従って水槽４の周壁より外方に膨出した形態をなしている。なお、水槽４の下部における連通口１２は、極力下方に位置して連通することが好ましいが、少なくとも水槽４底部の排水口６よりは上位に設けられている。
【００１０】
斯くして、通気路１０の上端開口は、水槽４の上端部と略同等高さ位置まで延出され、その開口端部に通気ガイド１３を接続している。この通気ガイド１３は、排気を通気路１０の直上に指向した開口部から前記槽カバー９の後部上面側に方向変換するとともに、その先端開口を本体１内方に指向させる作用をなし、該開口部にはフィルター１４が装着されている。また、前記仕切壁１１の上端部には一部切欠した切欠部１１ａを形成しており、前記槽カバー９との組立構成により水槽４の上端部に通気路１０と連通した経路を形成している。これは、洗い運転などにおいて洗剤による発泡が盛んとなり、通気路１０内に下部から侵入した泡が上昇し、やがて通気ガイド１３を経て槽外に漏れるおそれを確実に解消するため、浸入した泡が水槽４内上部に還流する経路としたものである。
【００１１】
上記のような水槽４の内部には、洗濯兼脱水槽１５が垂直軸周りの所謂縦軸回転可能に設けられている。この洗濯兼脱水槽１５も、前記水槽４と同様に上面を開口した有底円筒状をなしているが、椀状の底壁部１５ａおよび円筒状の胴壁部１５ｂには、通水孔および通気孔として機能するそれぞれ複数の開口部１６および脱水孔１７を備えている。また、胴壁部１５ｂには、詳細は後述するが中腹に位置して、内面全周に亘り複数の槽凸部１８が突出形成されている。そして、該洗濯兼脱水槽１５の上面開口にはバランスリング１９が装着され、且つ内底部には径大な撹拌体２０を回転可能に備えた構成としている。この撹拌体２０には、上面に形成した放射状の撹拌凸部２１（詳細は後述する）を避けた位置に、上下方向に貫通した複数の透孔２０ａが形成されている。
【００１２】
しかるに、前記水槽４の外底部には前記洗濯兼脱水槽１５および撹拌体２０を回転駆動する駆動機構２２が設けられている。この駆動機構２２は、例えばアウタロータ形モータと該モータの回転を洗濯兼脱水槽１５および撹拌体２０に選択的に伝達するクラッチとから構成されている。従って、この駆動機構２２を介して基本的には、洗いやすすぎ行程では撹拌体２０のみを回転し、脱水や乾燥行程では撹拌体２０と共に洗濯兼脱水槽１５を回転するよう運転制御される。
【００１３】
一方、前記トップカバー３の構成につき述べると、その略中央部には洗濯物を出し入れする投入口３ａが形成され、これを開閉すべく外蓋２３が回動自在に取付けられている。この外蓋２３は、例えば二つ折り構成とするとともに、その周側部に複数の切欠部２３ａを有していて、閉鎖状態の外蓋２３とトップカバー３の表面との間に隙間を形成し所謂本体１内外の通気性を確保している。そして、トップカバー３の突出した後部には温風生成ユニット２４や図示しない給水装置等を配設している。
【００１４】
前記温風生成ユニット２４は、送風機２５およびヒータ２６を具備してなり、該送風機２５は、後面に吸気口２７を有するケーシング２８と、このケーシング２８内に収容されたファン２９ａと、ケーシング２８の前部外面に設けられ前記ファン２９ａを回転駆動するファンモータ２９ｂとから構成されている。また、前記ヒータ２６は、例えばＰＴＣヒータからなり前記ケーシング２８内の前端部で前記送風機２５の下流側に位置して設けられている。
【００１５】
そして、前記ケーシング２８の前端部には蛇腹状の給気ダクト３０が接続され、その他端部を前記槽カバー９の後部の図示しない通気口に連通接続され、前記温風生成ユニット２４を経た温風或いは冷風（外気）を水槽４および洗濯兼脱水槽１５内に供給可能としている。
さらには、前記トップカバー３の前部上面には操作パネル３１が設けられ、周知のように図示しないスタートスイッチや各種の運転コース等を設定する操作キー等を備え、また該パネル３１の背面側には運転制御用の制御装置３２を配設している。
【００１６】
なお、図１中に示す３３は外気を取り込む際のフィルター装置で、また複数の破線矢印は、脱水運転や乾燥運転時における空気流（含む温風）の流れを概略的に示したもので、概述すると、外気は温風生成ユニット２５のケーシング２８内に取り込まれた後、給気ダクト３０を経て水槽４および洗濯兼脱水槽１５内に供給される。そして、内部の図示しない洗濯物の脱水や乾燥に寄与した後、水槽４下部の連通口１２から通気路１０内に入り、上昇して通気ガイド１３より槽外に排出され、さらには外蓋２３の切欠部２３ａや、外箱２の下面開口から本体１外に排気される。
【００１７】
ここで、前記した槽凸部１８の具体形状や設置条件につき、図２，３を参照して詳述する。まず図２は、槽凸部１８と前記撹拌体２０との関連した配置構成を示すとともに、それぞれの具体構成を拡大した示したもので、その同図（ａ）は胴壁部１５ｂの部分的な側面図であり、同図（ｂ）は撹拌体２０の平面図である。しかるに、槽凸部１８は胴壁部１５ｂの高さ方向の略中間に位置する所謂中腹に位置し、洗濯兼脱水槽１５が脱水や乾燥運転時に回転する方向（図中矢印Ｒで示す）に向かって前傾する形態にて所定ピッチＰに並んで設けられている。
【００１８】
本実施例に示す槽凸部１８は、その上半部が前傾する円弧状の凸部１８ａと、該円弧状凸部１８ａの下端部に連ねた下半部には直線状で略垂直方向に延びる垂直状の凸部１８ｂとから構成され、ただ本実施例では円弧状凸部１８ａと垂直状凸部１８ｂとの境界部分は、滑らかに円弧状に連続した形態をなしている。なお、上半部の前傾する円弧状凸部１８ａの先端は、先鋭な鋭角形状に形成されている。そして、斯かる槽凸部１８の断面形状を図３に示している。これは、図２（ａ）中のＡ−Ａ線に沿って切断して示したもので、断面山形状をなし且つ矢印Ｒで示す回転方向側の側面を立ち上り角度α１を大きくした急斜面３４とし、これに対し反対側の側面を緩斜面３５となすように立ち上り角度α２を小さく形成している。
【００１９】
一方、図２（ｂ）に示す撹拌体２０の上面に形成された撹拌凸部２１は、図示しないが断面山形状をなし且つ放射状に設けられるとともに、その周方向の外端部を矢印Ｒで示す回転方向に対し逆方向に曲げた形状としていて、所謂前記槽凸部１８の前傾方向とは逆方向に曲がっている。なお、図示するように撹拌体２０の外周囲である底壁部１５ａ内面には、放射状配置のリブ３６を複数突設している。
【００２０】
さらには、図２（ａ）において、胴壁部１５ｂに形成された脱水孔１７につき述べると、これは槽凸部１８を避けた位置に該槽凸部１８に沿うように少なくとも円弧状の内側に沿って設けられ、且つ胴壁部１５ｂの上下方向の中心線Ｘを境とする上部領域Ｓ１と下部領域Ｓ２とにおける脱水孔１７の開口面積を実質的に同等とする配置構成としている。例えば、同図では槽凸部１８のピッチＰ間において各上部，下部領域Ｓ１，Ｓ２とも同じ１８個の脱水孔１７を設けた構成としている。
【００２１】
次に、上記構成の洗濯機の作用について説明する。まず、洗濯行程における洗いやすすぎ運転では周知の如く水槽４および洗濯兼脱水槽１５内に所定水位まで給水された後、撹拌体２０が正逆回転駆動され、図示しない洗濯物を洗浄する。しかるに、例えば洗い運転において水流とともに移動する洗濯物は、内面に突出した槽凸部１８と当接して機械的な作用を受け、該槽凸部１８は洗浄力向上に寄与する。
【００２２】
中でも、槽凸部１８の下半部における直線状の垂直状凸部１８ｂは、左右いずれの方向に回動する水流に対しても、常に略直交する状態で当接し、且つ胴壁部１５ｂの中腹のやや下位に位置して水流や洗濯物が主体となす部位での当接であり、従って同水流と共に移動する洗濯物は確実に当接して強力な機械作用を得ることができる。勿論、下方においては径大な撹拌体２０の特に上面の撹拌凸部２１は、その回転により洗濯水流の生成のみならず洗濯物と直接接触して機械的作用を与え、洗浄性能の向上に寄与する。
【００２３】
次いで、上記洗濯行程後に続いて行なう乾燥行程につき説明する。この乾燥行程では、例えば初期に脱水運転を主として行ない、その後に乾燥運転を行なうようにしている。すなわち、脱水運転では撹拌体２０と共に洗濯兼脱水槽１５を高速回転させ（例えば、９００ｒｐｍ）、洗濯物の遠心脱水を行ない、水分をできるだけ除去するようにしている。このときは、温風生成ユニット２４を構成するうちのヒータ２６への通電はなく、送風機２５のみ通電駆動される。これは洗濯後の多量に水分を含んだ状態では洗濯物に対し加熱する効果が少なく、無駄な熱エネルギーの浪費を抑えるためで、従ってケーシング２８内に取り込まれた外気は、図１中に示す破線矢印方向への経路を辿って流れる。
【００２４】
この外気たる冷風は、給気ダクト３０から水槽４および洗濯兼脱水槽１５内に供給され、洗濯物と接触して乾燥作用に寄与した後、開口部１６や脱水孔１７等を経て水槽４側に移動する。この場合、水槽４は内蓋９ａが閉鎖状態にある槽カバー９にて略密閉状態に維持されること、および洗濯兼脱水槽１５の回転に伴ない、その外周の水槽４との間が負圧となり該洗濯兼脱水槽１５の上端開口から空気を吸引する作用も相俟って、冷風は脱水孔１７等を経て水槽４側に速やかに移動し、水槽４下部の連通口１２から通気路１０内に至り、上昇して通気ガイド１３のフィルター１４から槽外に排出される。しかる後、閉鎖状態の外蓋２３の切欠部２３ａから本体１外に排出され、或いは一部は外箱２の下端開口から本体１外に排出される。
【００２５】
なお、洗濯物から遠心脱水された水は槽凸部１８の特に円弧状内面側にて効果的に受け止められ、該槽凸部１８に沿って設けられた脱水孔１７から効果的に放出される。しかも、該脱水孔１７は、図２（ａ）に開示したように胴壁部１５ｂの上部，下部領域Ｓ１，Ｓ２共に同数として、所謂脱水孔面積を略同等に設けているから、脱水性能が上下部で偏ることなく有効に脱水される。特には、洗濯兼脱水槽１５内の洗濯物は強力な遠心作用を受けて胴壁部１５に張り付いた状態にあり、従って中央部が空洞となるドーナツ状を呈した洗濯物に対して有効な脱水作用が行なわれる。
【００２６】
加えて、本実施例における槽凸部１８は、空気流を積極的に下方に導く作用が期待できる。すなわち、図１或いは図２（ａ）に示すように洗濯兼脱水槽１５が矢印Ｒ方向に回転すると、前傾する円弧状の凸部１８ａが、その内側で空気を拘束して取り込み、これを下半部の直線状の垂直状凸部１８ｂが下方に導くように作用する。斯かる作用をなす槽凸部１８は、胴壁部１５ｂの中腹に多数並列状態に設けてあるので、一部は洗濯物により減じられても全体に有効に作用するとともに、図３の断面形状からも明らかなように矢印Ｒで示す回転方向側の立ち上り角度α１を大きくした急斜面３５としたので、脱水された水を受け止め或いは空気を導入するのに有効に機能するとともに、円弧状の凸部１８ａの先端部は先鋭な形状をなしているので、乱流等を生起することなく空気の取り込みが効果的に行なえる。
【００２７】
しかして、洗濯兼脱水槽１５内に給気された空気は通常遠心方向に脱水孔１７を通して直ちに放出される傾向にあるが、これを抑えて下方にまで導き、特に下方に位置する洗濯物に対する冷風との接触を良好とし、洗濯物全体に対する水分を除去する脱水効果を向上する。特には、垂直軸周りの縦軸型の洗濯兼脱水槽１５内における下方の洗濯物に対して、脱水むらを抑え延いては全体の脱水効率を向上するに有効に作用する。この場合、水槽４から通気路１０を経て排出される空気は、その取り込み口である連通口１２が、水槽４の下部に位置していることからも、全体の空気の流れを下方に導く上でも有用である。
【００２８】
さらに本実施例では、撹拌体２０の撹拌凸部２１の周方向外端部は、槽凸部１８が回転方向である矢印Ｒ方向に前傾するに対し、それとは逆の反矢印Ｒ方向に曲げた形状にある。このため、下方まで導入された空気は、一部は撹拌体２０の透孔２０ａを通して水槽４の底部側に排出されるが、この底部側への空気流をむしろ抑えるようにして該撹拌体２０の外周方向へ導く空気流を生起する作用をなす。しかるに、洗濯兼脱水槽１５内の洗濯物は前記したように中央部が空洞となるドーナツ状を呈しているので、上記した中央から側方に向けた空気の流れは下方の洗濯物との接触をより効果的に行なうこととなり、水分の除去作用として有効に機能する。
【００２９】
このような、外気による給排気が繰り返し行なわれる中、脱水運転が所定時間行なわれ洗濯物からの水分が十分に除去されると、ヒータ２６が通電発熱して外気が温風化されるとともに、洗濯兼脱水槽１５は低速回転に制御され（例えば、４００ｒｐｍ）、所謂温風供給による本来の乾燥運転が開始される。この場合の温風の流れは、上記脱水運転の場合と実質的に同じ経路を辿り洗濯物との接触が行なわれ、加熱に伴ないより効果的に水分を奪う乾燥作用が進行する。なお、この乾燥運転でも洗濯物は遠心力を受けて周側に移動し、ドーナツ状をなした配置状態にあるが、下方まで行き届いた温風は乾燥作用に十分に寄与し、その後に水槽４側に放出され、通気路１０を経て槽外に排出された後、本体１外に排出される。
【００３０】
なお、上記脱水運転を含む乾燥行程において、乾燥効率を向上すべく例えば、洗濯兼脱水槽１５を随時一時的に休止し、その間に撹拌体２０のみを回転駆動して張り付いた状態の洗濯物をほぐすなどの手段を採用してもよい。この場合、乾燥運転では低速回転ではあるが、洗濯物が遠心作用を受けて周側に移動し、やはりドーナツ状に配置されて上記態様にて乾燥作用が促進される。そして、斯かる温風による乾燥運転が所定時間行なわれると、ヒータ２６が断電して冷風（外気）による仕上げ運転が所定時間行なわれ、洗濯物を冷やした仕上げ状態にして、一連の乾燥行程を終え全行程を終了する。
【００３１】
また、上記実施例では洗濯行程および乾燥行程を自動的に続いて実行される運転コースにつき説明したが、乾燥行程のみ実行する運転コースを設定しても、何ら支障なく上記した乾燥運転と同様の作用をなすことはもとより、洗濯行程の中で洗いとすすぎとの間で行なわれる中間脱水を行なう場合にあっても、上記したうちの脱水運転と同様の作用を奏することは言うまでもない。
【００３２】
しかも、槽凸部１８は洗濯兼脱水槽１５内に空気を導入するに有効に作用し、且つ洗濯兼脱水槽１５の回転に伴なう吸気作用も得られることから必ずしも送風機２５などの強制手段を要することなく実行でき、さらには温風生成ユニット２４を具備しない洗濯機にて、上記したように洗濯兼脱水槽１５内に外気のみ導入した脱水運転或いは乾燥運転を実行する場合などにも、それぞれ有効に機能するものである。
【００３３】
上記した実施例によれば、次のような効果を得ることができる。
洗濯兼脱水槽１５の胴壁部１５ｂ中腹の内面に槽凸部１８を設け、この槽凸部１８を回転方向に向かって前傾する円弧状の凸部１８ａを並列状態に設けた構成としたので、洗濯兼脱水槽１５内への空気を効果的に取り込むことができ、洗濯物との接触により脱水性能、或いは乾燥性能の向上が期待できる。この場合、円弧状の凸部１８ａから下半部における垂直状の凸部１８ｂの連接部に至り円弧形状に滑らかに連ねたので、空気の流れをスムースに導入できる点で有利である。
【００３４】
しかも、上記実施例に示す槽凸部１８は、上記円弧状の凸部１８ａの下端部に連ねて直線状で略垂直方向に延びる垂直状の凸部１８ｂを設けてなる構成としたので、該垂直状凸部１８ａは洗濯時には洗濯物に対し十分な機械力を伝えて洗浄力の向上に寄与する一方、脱水や乾燥時には取り込んだ空気を下方に導く作用をなして空気の導入を活発にするとともに、通常行き渡り難い下方へも有効に導き下方の洗濯物との接触も良好に行ない、上下部にて脱水むらや乾燥むらを生じることなく洗濯物全体を効率のよい脱水性能或いは乾燥性能が期待できる。また、円弧状の凸部１８ａと直線状の凸部１８ｂとによる比較的小形状でありながら洗浄性能および脱水性能の向上が図り得、従って胴壁部１５ｂの中腹に配設するだけで十分に機能する点でも有効である。
【００３５】
さらに、円弧状の凸部１８ａの前傾する先端部を先鋭としたので、乱流を生起することなく空気を掻き込み易くしているとともに、上記斯かる槽凸部１８の断面形状を、洗濯兼脱水槽１５の回転方向側の傾斜面形状を反対側より急斜面３４に立ち上げたので、洗濯運転時における洗濯物との機械的な接触を良好として洗浄性能を向上し、また脱水運転や乾燥運転時には上記した空気流の取り込みおよび下方への導入を確実に行ない、また脱水時には遠心脱水された水を受け止め該槽凸部１８に沿って形成された脱水孔１７からの遠心放出を効率よく実行できるなど、洗浄性能および脱水等による水分の除去から乾燥に至るまでのそれぞれの性能を大幅に改善できる。
【００３６】
しかも、洗濯兼脱水槽１５の底部には、上記円弧状の凸部１８ａの前傾方向とは逆方向に曲げた撹拌凸部２１を有する撹拌体２０を関連して配設したので、下方への空気の流れが強くなり過ぎるのを防いで、周側に向かった空気流を多く生成できて特に遠心力によりドーナツ状を呈した洗濯物の脱水や乾燥に有効に作用する。この場合、洗濯兼脱水槽１５の胴壁部１５ｂに形成した脱水孔１７は、該胴壁部１５ｂの下部領域Ｓ２と上部領域Ｓ１とにおける前記脱水孔面積が略同等になるように配設してあるので、ドーナツ状の洗濯物の上下方向において、脱水むらや乾燥むらを極力抑えて良好な仕上り効果が期待できる。
【００３７】
なお、上記実施例に限らず具体構成として種々展開可能で、例えば上記撹拌体２０の撹拌凸部２１は周方向の外端部のみの曲がり方向が、洗濯兼脱水槽１５の回転方向（矢印Ｒ）と逆方向の関係としたが、撹拌凸部の全長全体が上記曲がり方向であってもよいし、或いは洗濯兼脱水槽１５から放出された空気を水槽４外に排出する手段も通気路１０に限らず、直接本体１外に排出する排気手段など種々変更して実施可能である。
因みに、図４〜図６は上記実施例の槽突部１８に関連した構成の第１〜第３の変形例を示したもので、上記実施例と同一部分には同一符号を付して説明を省略し、以下異なる点のみにつき説明する。
【００３８】
（第１の変形例）
まず図４は、第１の変形例を示す図２相当図で、このものは図２（ａ）に示す槽凸部１８や脱水孔１７の配置構成等は上記実施例と共通であるのに対し、同図（ｂ）に示す撹拌体２０につき一部異なる構成としたものである。すなわち、具体的には撹拌凸部３７を上記実施例とは逆方向に曲げた構成としたもので、従って該撹拌凸部３７の周方向外端部の曲がり方向が、洗濯兼脱水槽１５の槽凸部１８の前傾方向と同方向にした点で異なるものである。
【００３９】
斯かる構成によれば、脱水或いは乾燥運転時に下方まで導入された空気が、撹拌体２０の撹拌凸部３７により取り込む作用が助長され、透孔２０ａを通して水槽４側に排出されるのをはじめ、全体に洗濯兼脱水槽１５の内方下部への空気流の導入を活発にしたい場合、例えば、前記した送風機２５など強制送風手段を採用しないで洗濯兼脱水槽１５の回転に伴ない空気を吸引して導入するような場合に好適する。この場合、槽カバー９を省略することも可能であるなど、全体に簡易な構成にてコスト的にも有利に提供できる。
【００４０】
（第２の変形例）
次いで図５は、第２の変形例を示す図２の（ａ）相当図で、このものは図示するように槽凸部３８として、全体を円弧状の凸部３８ａのみから構成した点で上記実施例とは異なり、その余の洗濯兼脱水槽１５の回転方向に前傾し、且つ断面山形状をなすなど共通とするものである。ただ、前傾する先端部に対し反対側の後端部たる下半部は、円弧状ではあるが略垂直方向に指向して配列した形態に設けられている。また、その他図示するように脱水孔１７の上部，下部領域Ｓ１，Ｓ２の脱水孔面積は略同等となるように、例えば該変形例ではそれぞれ１９個の脱水孔１７を配設している。
【００４１】
従って、斯かる構成によれば、上記実施例で言う直線状で垂直状の凸部１８ｂを有しない点でこれに関する機能が若干低下するも、円弧状の下半部を極力垂直方向に配列することで、洗濯、脱水および乾燥運転などの作用効果は、上記実施例と略同様に期待できるものである。
【００４２】
（第３の変形例）
そして、図６は第３の変形例を示す図２の（ａ）相当図で、このものは図示するように槽凸部３９として、上半部の回転方向に前傾し直線状に傾斜する凸部３９ａと、その下半部として前記傾斜状凸部３９ａの下端部に連ねて直線状で略垂直方向に延びる垂直状の凸部３９ｂとから構成したもので、脱水孔１７の配置構成等その余の構成は上記実施例と実質的に共通である。従って、洗浄性能、脱水性能或いは乾燥性能等の向上が期待できるなど、上記実施例と同様の作用効果を奏するものである。
【００４３】
なお、本発明は上記し且つ図面に示した実施例に限定されることなく種々変更して実施できるもので、例えば上記実施例では乾燥機能付洗濯機として送風機などの強制送風手段を有する温風生成ユニットを設けて、より脱水性能或いはより乾燥性能の向上を図っているが、槽凸部による空気の導入と相俟って洗濯兼脱水槽の回転に伴なう吸気作用により、十分な空気流が得られることから、送風機など必ずしも必要としないし、且つ温風生成ユニットなどの乾燥機能を有しない洗濯機にも広く適用できることは言うまでもない。
その他、実施に際し本発明の要旨を逸脱しない範囲で具体的に種々変更して実施できるものである。
【図面の簡単な説明】
【００４４】
【図１】本発明を乾燥機能付洗濯機に適用した一実施例を示す全体構成の縦断面図
【図２】関連した異なる要部（ａ）、（ｂ）の具体構成を示す拡大図
【図３】図２（ａ）中のＡ−Ａ線に沿って切断して示す断面図
【図４】第１の変形例を示す図２相当図
【図５】第２の変形例を示す図２の（ａ）相当図
【図６】第３の変形例を示す図２の（ａ）相当図
【符号の説明】
【００４５】
図面中、１は本体、２は外箱、３はトップカバー、４は水槽、１０は通気路、１５は洗濯兼脱水槽、１５ａは底壁部、１５ｂは胴壁部、１７は脱水孔、１８，３８，３９は槽凸部、１８ａ，３８ａは円弧状の凸部（円弧状凸部）、１８ｂ，３９ｂは垂直状の凸部（垂直状凸部）、２０は撹拌体、２１，３７は撹拌凸部、および３９ａは傾斜する凸部（傾斜状凸部）を示す。
【図１】
2005348943.tif 000003
【図２】
2005348943.tif 000004
【図３】
2005348943.tif 000005
【図４】
2005348943.tif 000006
【図５】
2005348943.tif 000007
【図６】
2005348943.tif 000008